(57)【要約】【課題】ランプ電流のアンバランスを最小限に抑えつつ、バラストコンデンサの個数を削減する。【解決手段】本ランプ駆動装置は、複数のBコンデンサと、複数のBコンデンサを介して複数のランプを駆動する電源装置とを有する。第1のグループに属するランプの第1の端子には、個別にBコンデンサが接続され、上記ランプの第2の端子には、第1のグループの本数より少数のBコンデンサが接続される。また、第2のグループに属するランプの第2の端子には、個別にBコンデンサが接続され、上記ランプの第1の端子には、第2のグループの本数より少数のBコンデンサが接続される。第1のグループに属するランプの第1の端子と第2のグループに属するランプの第1の端子とが同じ方向に配置される。また、第1のグループに属するランプと第2のグループに属するランプとが交互に配置される。【選択図】図３
2010050061.tif 000002
【特許請求の範囲】
【請求項１】
複数のバラストコンデンサと、
前記複数のバラストコンデンサを介して複数のランプを駆動する電源装置と、
を有し、
前記複数のランプの第１の端子には、個別に前記バラストコンデンサが接続され、
前記複数のランプの第２の端子には、前記複数のランプの本数より少数の前記バラストコンデンサが接続される
ランプ駆動装置。
【請求項２】
前記複数のランプの本数より少数の前記バラストコンデンサが、１つの前記バラストコンデンサである
請求項１記載のランプ駆動装置。
【請求項３】
複数のバラストコンデンサと、
前記複数のバラストコンデンサを介して複数のランプを駆動する電源装置と、
を有し、
前記複数のランプのうち第１のグループに属するランプの第１の端子には、個別に前記バラストコンデンサが接続され、
前記複数のランプのうち前記第１のグループに属するランプの第２の端子には、前記第１のグループに属するランプの本数より少数の前記バラストコンデンサが接続され、
前記複数のランプのうち第２のグループに属するランプの第２の端子には、個別に前記バラストコンデンサが接続され、
前記複数のランプのうち前記第２のグループに属するランプの第１の端子には、前記第２のグループに属するランプの本数より少数の前記バラストコンデンサが接続され、
前記第１のグループに属するランプの第１の端子と前記第２のグループに属するランプの第１の端子とが同じ方向に配置され、
前記第１のグループに属するランプの第２の端子と前記第２のグループに属するランプの第２の端子とが同じ方向に配置され、
前記第１のグループに属するランプと前記第２のグループに属するランプとが交互に配置される
ランプ駆動装置。
【請求項４】
前記第１のグループに属するランプの本数より少数の前記バラストコンデンサが、１つの前記バラストコンデンサであり、
前記第２のグループに属するランプの本数より少数の前記バラストコンデンサが、１つの前記バラストコンデンサである
請求項３記載のランプ駆動装置。
【請求項５】
前記第１のグループに属するランプが、ｎ（２以上の整数）本ずつのサブグループに分けられており、
前記第１のグループのサブグループ毎に、当該サブグループに属するランプの第２の端子に、１つの前記バラストコンデンサが接続され、
前記第２のグループに属するランプが、ｍ（２以上の整数）本ずつのサブグループに分けられており、
前記第２のグループのサブグループ毎に、当該サブグループに属するランプの第１の端子に、１つの前記バラストコンデンサが接続される
請求項３記載のランプ駆動装置。
【請求項６】
前記電源装置が、第１の位相で駆動する第１の電源装置と、前記第１の位相とは逆相で駆動する第２の電源装置とを含み、
前記第１のグループに属するランプの第１の端子には、前記バラストコンデンサを介して前記第１の電源装置が接続され、
前記第１のグループに属するランプの第２の端子には、前記バラストコンデンサを介して前記第２の電源装置が接続され、
前記第２のグループに属するランプの第２の端子には、前記バラストコンデンサを介して前記第１の電源装置が接続され、
前記第２のグループに属するランプの第１の端子には、前記バラストコンデンサを介して前記第２の電源装置が接続される
請求項３記載のランプ駆動装置。
【請求項７】
複数のバラストコンデンサと、
前記複数のバラストコンデンサを介して複数のランプを駆動する電源装置と、
を有し、
前記複数のランプのうち第１のグループに属するランプの第１の端子には、個別に前記バラストコンデンサが接続され、
前記複数のランプのうち前記第１のグループに属するランプの第２の端子には、前記第１のグループに属するランプの本数より少数の前記バラストコンデンサが接続され、
前記複数のランプのうち第２のグループに属するランプの第２の端子には、個別に前記バラストコンデンサが接続され、
前記複数のランプのうち前記第２のグループに属するランプの第１の端子には、前記第２のグループに属するランプの本数より少数の前記バラストコンデンサが接続され、
前記第１のグループに属するランプの第１の端子と前記第２のグループに属するランプの第１の端子とが同じ方向に配置され、
前記第１のグループに属するランプの第２の端子と前記第第２のグループに属するランプの第２の端子とが同じ方向に配置され、
前記電源装置が、第１の位相で駆動する第１の電源装置と、前記第１の位相とは逆相で駆動する第２の電源装置とを含み、
前記第１のグループに属するランプの第１の端子には、前記バラストコンデンサを介して前記第１の電源装置が接続され、
前記第１のグループに属するランプの第２の端子には、前記バラストコンデンサを介して前記第２の電源装置が接続され、
前記第２のグループに属するランプの第２の端子には、前記バラストコンデンサを介して前記第１の電源装置が接続され、
前記第２のグループに属するランプの第１の端子には、前記バラストコンデンサを介して前記第２の電源装置が接続され、
前記第１のグループに属するランプと前記第２のグループに属するランプとが、ｍ（１以上の整数）個おきに配置される
ランプ駆動装置。
【請求項８】
複数のバラストコンデンサと、
前記複数のバラストコンデンサを介して複数のランプを駆動する電源装置と、
を有し、
前記複数のランプのうち第１のグループに属するランプの第１の端子には、個別に前記バラストコンデンサが接続され、
前記複数のランプのうち前記第１のグループに属するランプの第２の端子には、１つの前記バラストコンデンサが接続され、
前記複数のランプのうち第２のグループに属するランプの第２の端子には、個別に前記バラストコンデンサが接続され、
前記複数のランプのうち前記第２のグループに属するランプの第１の端子には、１つの前記バラストコンデンサが接続され、
前記第１のグループに属するランプの第１の端子と前記第２のグループに属するランプの第１の端子とが同じ方向に配置され、
前記第１のグループに属するランプの第２の端子と前記第第２のグループに属するランプの第２の端子とが同じ方向に配置され、
前記第１のグループと前記第２のグループとが交互に配置される
ランプ駆動装置。
【発明の詳細な説明】
【技術分野】
【０００１】
本発明は、ランプ駆動装置に関する。
【背景技術】
【０００２】
例えば液晶表示装置のバックライトなどにおいて多数用いられる冷陰極線管（ＣＣＦＬ：Cold Cathode Fluorescent Lamp）に流れる電流をバランスさせるためにバラストコンデンサが用いられる場合がある。従来では、図１に示すように、交流電源Ｖ１０１の出力電圧をトランスＴ１０１によって昇圧してランプＬ１０１乃至Ｌ１０８の片側の端子に供給する場合には、トランスＴ１０１の二次巻線側に、ランプＬ１０１乃至Ｌ１０８の各々に１つ接続されるバラストコンデンサＣ１０１乃至Ｃ１０８を接続し、当該バラストコンデンサＣ１０１乃至Ｃ１０８を介して並列にランプＬ１０１乃至Ｌ１０８に電圧を印加する。同様に、交流電源Ｖ１０１と逆相の電圧を出力する交流電源Ｖ１０２の出力電圧をトランスＴ１０２によって昇圧してランプＬ１０１乃至Ｌ１０８の他方の端子に供給する。この際、トランスＴ１０２の二次巻線側に、ランプＬ１０１乃至Ｌ１０８の各々に１つ接続されるバラストコンデンサＣ１０９乃至Ｃ１１６を接続し、当該バラストコンデンサＣ１０９乃至Ｃ１１６を介して並列にランプＬ１０１乃至Ｌ１０８に電圧を印加する。このように、ランプ８本に対して、バラストコンデンサ１６個が必要となる。
【０００３】
図２は、各ランプの電流の位相を１０８°反転させた逆相駆動の場合における従来のランプ駆動回路の例を示すが、図１における４本のランプを駆動する第１のランプ駆動装置と、図１における交流電源Ｖ１０１及びＶ１０２の出力電圧の位相を反転させ、４本のランプを駆動する第２のランプ駆動装置とを設け、第１のランプ駆動装置に接続されるランプと第２のランプ駆動装置に接続されるランプとを交互に配置するものである。このような場合においても、ランプ８本に対して、バラストコンデンサ１６個が必要となる。
【特許文献１】特開２００６−２４５００５号公報
【発明の開示】
【発明が解決しようとする課題】
【０００４】
このように従来技術では、ランプ本数の２倍の個数のバラストコンデンサが必要となり、コスト低減のネックとなっていた。
【０００５】
本発明の目的は、ランプ駆動装置におけるバラストコンデンサの個数を削減するための技術を提供することである。
【０００６】
また、本発明の他の目的は、ランプ電流のアンバランスを最小限に抑えつつ、バラストコンデンサの個数を削減するための技術を提供することである。
【課題を解決するための手段】
【０００７】
本発明の第１の態様に係るランプ駆動装置は、複数のバラストコンデンサと、複数のバラストコンデンサを介して複数のランプを駆動する電源装置とを有する。そして、複数のランプの第１の端子には、個別にバラストコンデンサが接続され、複数のランプの第２の端子には、複数のランプの本数より少数のバラストコンデンサが接続されるようになっている。これによってバラストコンデンサの個数が削減されて、コスト削減に繋がる。
【０００８】
なお、上で述べた複数のランプの本数より少数のバラストコンデンサが、１つのバラストコンデンサである場合もある。
【０００９】
本発明の第２の態様におけるランプ駆動装置は、複数のバラストコンデンサと、複数のバラストコンデンサを介して複数のランプを駆動する電源装置とを有する。そして、複数のランプのうち第１のグループに属するランプの第１の端子には、個別にバラストコンデンサが接続され、複数のランプのうち第１のグループに属するランプの第２の端子には、第１のグループに属するランプの本数より少数のバラストコンデンサが接続される。また、複数のランプのうち第２のグループに属するランプの第２の端子には、個別にバラストコンデンサが接続され、複数のランプのうち第２のグループに属するランプの第１の端子には、第２のグループに属するランプの本数より少数のバラストコンデンサが接続される。さらに、第１のグループに属するランプの第１の端子と第２のグループに属するランプの第１の端子とが同じ方向に配置され、第１のグループに属するランプの第２の端子と第２のグループに属するランプの第２の端子とが同じ方向に配置される。また、第１のグループに属するランプと第２のグループに属するランプとが交互に配置される。
【００１０】
このようにすることによってバラストコンデンサの数を削減することができ、コスト削減が図られる。
【００１１】
また、上で述べた、第１のグループに属するランプの本数より少数のバラストコンデンサが、１つのバラストコンデンサであり、第２のグループに属するランプの本数より少数のバラストコンデンサが、１つのバラストコンデンサであるようにしてもよい。このようにすれば、（ランプの数／２−１）＊２個程度バラストコンデンサを削減できる。
【００１２】
さらに、第１のグループに属するランプが、ｎ（２以上の整数）本ずつのサブグループに分けられており、第１のグループのサブグループ毎に、当該サブグループに属するランプの第２の端子に、１つのバラストコンデンサが接続され、第２のグループに属するランプが、ｍ（２以上の整数）本ずつのサブグループに分けられており、第２のグループのサブグループ毎に、当該サブグループに属するランプの第１の端子に、１つのバラストコンデンサが接続されるようにしてもよい。電流バランスを優先すれば、ランプの片側に１つではなくこのように増加させる場合もある。
【００１３】
また、電源装置が、第１の位相で駆動する第１の電源装置と、第１の位相とは逆相で駆動する第２の電源装置とを含むようにしてもよい。この場合、第１のグループに属するランプの第１の端子には、バラストコンデンサを介して第１の電源装置が接続され、第１のグループに属するランプの第２の端子には、バラストコンデンサを介して第２の電源装置が接続される。さらに、第２のグループに属するランプの第２の端子には、バラストコンデンサを介して第１の電源装置が接続され、第２のグループに属するランプの第１の端子には、バラストコンデンサを介して第２の電源装置が接続される。逆相駆動する場合にも、バラストコンデンサの数を削減することができる。
【００１４】
本発明の第３の態様に係るランプ駆動装置は、複数のバラストコンデンサと、複数のバラストコンデンサを介して複数のランプを駆動する電源装置とを有する。そして、複数のランプのうち第１のグループに属するランプの第１の端子には、個別にバラストコンデンサが接続され、複数のランプのうち第１のグループに属するランプの第２の端子には、第１のグループに属するランプの本数より少数のバラストコンデンサが接続される。また、複数のランプのうち第２のグループに属するランプの第２の端子には、個別にバラストコンデンサが接続され、複数のランプのうち第２のグループに属するランプの第１の端子には、第２のグループに属するランプの本数より少数のバラストコンデンサが接続される。そして、第１のグループに属するランプの第１の端子と第２のグループに属するランプの第１の端子とが同じ方向に配置され、第１のグループに属するランプの第２の端子と第２のグループに属するランプの第２の端子とが同じ方向に配置される。また、電源装置が、第１の位相で駆動する第１の電源装置と、第１の位相とは逆相で駆動する第２の電源装置とを含み、第１のグループに属するランプの第１の端子には、バラストコンデンサを介して第１の電源装置が接続され、第１のグループに属するランプの第２の端子には、バラストコンデンサを介して前記第２の電源装置が接続され、第２のグループに属するランプの第２の端子には、バラストコンデンサを介して第１の電源装置が接続され、第２のグループに属するランプの第１の端子には、バラストコンデンサを介して第２の電源装置が接続される。さらに、第１のグループに属するランプと第２のグループに属するランプとが、ｍ（１以上の整数）個おきに配置される。このようにしても、差動駆動によってノイズキャンセルされるので、第１のグループに属するランプと第２のグループに属するランプとをｍ個おきに配置しても、輝度ばらつきを抑えつつ、バラストコンデンサの数を削減することができるようになる。
【００１５】
本発明の第４の態様に係るランプ駆動装置は、複数のバラストコンデンサと、複数のバラストコンデンサを介して複数のランプを駆動する電源装置とを有する。そして、複数のランプのうち第１のグループに属するランプの第１の端子には、個別にバラストコンデンサが接続され、複数のランプのうち第１のグループに属するランプの第２の端子には、１つのバラストコンデンサが接続される。また、複数のランプのうち第２のグループに属するランプの第２の端子には、個別にバラストコンデンサが接続され、複数のランプのうち第２のグループに属するランプの第１の端子には、１つのバラストコンデンサが接続される。そして、第１のグループに属するランプの第１の端子と第２のグループに属するランプの第１の端子とが同じ方向に配置され、第１のグループに属するランプの第２の端子と第２のグループに属するランプの第２の端子とが同じ方向に配置される。また、第１のグループと第２のグループとが交互に配置される。このようにする場合においても、バラストコンデンサの数を削減することができる。
【００１６】
以上のような構成を実現するための回路は複数存在しており、以下に具体例を示すが、本発明はこれに限定されるものではない。
【発明の効果】
【００１７】
本発明によれば、ランプ駆動装置におけるバラストコンデンサの個数を削減することができる。
【００１８】
また、本発明に他の側面よれば、ランプ電流のアンバランスを最小限に抑えつつ、バラストコンデンサの個数を削減することができるようになる。
【発明を実施するための最良の形態】
【００１９】
［実施の形態１］
本発明の第１の態様に係るランプ駆動装置の回路例を図３に示す。本実施の形態に係るランプ駆動装置は、交流電源Ｖ１及びＶ２と、トランスＴ１及びＴ２と、第１のバラストコンデンサＣ１乃至Ｃ４及びＣ６乃至Ｃ９と、第２のバラストコンデンサＣ５及びＣ１０とを有する。なお、本願の全ての実施の形態では、ランプは、ＣＣＦＬを前提とするが、他の方式のランプでも良い。
【００２０】
交流電源Ｖ１は、トランスＴ１の一次巻線側に接続されており、トランスＴ１の二次巻線の一端は接地されている。トランスＴ１の二次巻線の他端は、第１のバラストコンデンサＣ１乃至Ｃ４の一端と、第２のバラストコンデンサＣ５とに接続されている。第１のバラストコンデンサＣ１の他端は、ランプＬ１の一端に接続されている。第１のバラストコンデンサＣ２の他端は、ランプＬ３の一端に接続されている。第１のバラストコンデンサＣ３の他端は、ランプＬ５の一端に接続されている。第１のバラストコンデンサＣ４の他端は、ランプＬ７の一端に接続されている。第２のバラストコンデンサＣ５の他端は、ランプＬ２、Ｌ４、Ｌ６及びＬ８の一端に接続されている。
【００２１】
交流電源Ｖ１と逆相の電圧を出力する交流電源Ｖ２は、トランスＴ２の一次巻線側に接続されており、トランスＴ２の二次巻線の一端は接地されている。トランスＴ２の二次巻線の他端は、第１のバラストコンデンサＣ６乃至Ｃ９の一端と、第２のバラストコンデンサＣ１０とに接続されている。第１のバラストコンデンサＣ６の他端は、ランプＬ２の一端に接続されている。第１のバラストコンデンサＣ７の他端は、ランプＬ４の一端に接続されている。第１のバラストコンデンサＣ８の他端は、ランプＬ６の一端に接続されている。第１のバラストコンデンサＣ９の他端は、ランプＬ８の一端に接続されている。第２のバラストコンデンサＣ１０の他端は、ランプＬ１、Ｌ３、Ｌ５及びＬ７の一端に接続されている。
【００２２】
このように、ランプＬ１、Ｌ３、Ｌ５及びＬ７の一端には個別に第１のバラストコンデンサが接続されるが、他端にはまとめて１個の第２のバラストコンデンサが接続されている。一方、ランプＬ２、Ｌ４、Ｌ６及びＬ８の一端には個別に第１のバラストコンデンサが接続されるが、他端にはまとめて１個の第２のバラストコンデンサが接続されている。そして、奇数番号のランプと偶数番号のランプとは交互に配列されている。
【００２３】
なお、第１のバラストコンデンサＣ１乃至Ｃ４の容量総和と、第２のバラストコンデンサＣ１０の容量は一致している。また、第１のバラストコンデンサＣ６乃至Ｃ９の容量総和と、第２のバラストコンデンサＣ５の容量は一致している。
【００２４】
このようにランプの片側のバラストコンデンサを共通化することによってコストダウンが図られるが、当然ながら共通化した側のランプ電流のバランスは劣化する。但し、図３に示すように、奇数番号のランプについてはランプの右側が共通化され、偶数番号のランプについてはランプの左側が共通化され、奇数番号のランプと偶数番号のランプとが交互に配列されるため、みかけ上ランプ電流のバランスの劣化が緩和されるようになる。
【００２５】
なお、本願では、交流電源とトランスのセットを、電源装置と呼ぶこともある。
【００２６】
［実施の形態２］
本発明の第２の実施の形態に係るランプ駆動装置の回路図を図４に示す。本実施の形態に係るランプ駆動装置は、交流電源Ｖ３乃至Ｖ６と、トランスＴ３乃至Ｔ６と、第１のバラストコンデンサＣ１１乃至Ｃ１４及びＣ１６乃至Ｃ１９と、第２のバラストコンデンサＣ１５及びＣ２０とを含む。
【００２７】
交流電源Ｖ３は、トランスＴ３の一次巻線側に接続されており、トランスＴ３の二次巻線の一端は接地されている。トランスＴ３の二次巻線の他端は、第１のバラストコンデンサＣ１１乃至Ｃ１４の一端とに接続されている。第１のバラストコンデンサＣ１１の他端は、ランプＬ９の一端に接続されている。第１のバラストコンデンサＣ１２の他端は、ランプＬ１１の一端に接続されている。第１のバラストコンデンサＣ１３の他端は、ランプＬ１３の一端に接続されている。第１のバラストコンデンサＣ１４の他端は、ランプＬ１５の一端に接続されている。
【００２８】
交流電源Ｖ３と逆相の電圧を出力する交流電源Ｖ５は、トランスＴ５の一次巻線側に接続されており、トランスＴ５の二次巻線の一端は接地されている。トランスＴ５の二次巻線の他端は、第２のバラストコンデンサＣ２０に接続されている。第２のバラストコンデンサＣ２０の他端は、ランプＬ９、Ｌ１１、Ｌ１３及びＬ１５の一端に接続されている。
【００２９】
交流電源Ｖ３と逆相の電圧を出力する交流電源Ｖ４は、トランスＴ４の一次巻線側に接続されており、トランスＴ４の二次巻線の一端は接地されている。トランスＴ４の二次巻線の他端は、第２のバラストコンデンサＣ１５に接続されている。第２のバラストコンデンサＣ１５の他端は、ランプＬ１０、Ｌ１２、Ｌ１４及びＬ１６の一端に接続されている。
【００３０】
交流電源Ｖ３と同相の電圧を出力する交流電源Ｖ６は、トランスＴ６の一次巻線側に接続されており、トランスＴ６の二次巻線の一端は接地されている。トランスＴ６の二次巻線の他端は、第１のバラストコンデンサＣ１６乃至Ｃ１９の一端とに接続されている。第１のバラストコンデンサＣ１６の他端は、ランプＬ１０の他端に接続されている。第１のバラストコンデンサＣ１７の他端は、ランプＬ１２の他端に接続されている。第１のバラストコンデンサＣ１８の他端は、ランプＬ１４の他端に接続されている。第１のバラストコンデンサＣ１９の他端は、ランプＬ１６の他端に接続されている。
【００３１】
このように、ランプＬ９、Ｌ１１、Ｌ１３及びＬ１５については、逆相駆動されて、左側には個別に第１のバラストコンデンサが接続されており、右側には共通の第２のバラストコンデンサが接続される。同様に、ランプＬ１０、Ｌ１２、Ｌ１４及びＬ１６については、差動駆動されて、右側には個別に第１のバラストコンデンサが接続されており、左側には共通の第２のバラストコンデンサが接続される。
【００３２】
このように、逆相駆動によって互いのノイズをキャンセルすることによって、ランプ電流のアンバランスによって生ずる輝度ばらつきを抑えることができる。さらに、個別に第１のバラストコンデンサを接続する側についても、ランプＬ９、Ｌ１１、Ｌ１３及びＬ１５（奇数番号のランプ）と、ランプＬ１０、Ｌ１２、Ｌ１４及びＬ１６（偶数番号のランプ）とでは異なる側になっており、みかけ上のランプ電流のアンバランスが緩和される。
【００３３】
なお、図４では、偶数番号のランプと奇数番号のランプとを交互に配置するような配置例を示しているが、偶数番号のランプを第１のグループとして奇数番号のランプを第２のグループとして、例えば２本おき、３本おきに、第１のグループに属するランプと、第２のグループに属するランプとを配置するようにしても良い。
【００３４】
また、第１のバラストコンデンサＣ１１乃至Ｃ１４の総容量と、第２のバラストコンデンサＣ２０の容量とは同じである。さらに、第１のバラストコンデンサＣ１６乃至Ｃ１９の総容量と、第２のバラストコンデンサＣ１５の容量とは同じである。
【００３５】
［実施の形態３］
本発明の第３の実施の形態に係るランプ駆動装置の回路例を図５に示す。第１及び第２の実施の形態では、ランプの片側には個別にバラストコンデンサを接続するが、ランプのもう一方の側には１つのバラストコンデンサを接続していた。しかし、ランプ電流のアンバランスをより抑制するためには、本実施の形態のようにすればよい。
【００３６】
本実施の形態に係るランプ駆動装置は、交流電源Ｖ７及びＶ８と、トランスＴ７及びＴ８と、第１のバラストコンデンサＣ２２及びＣ２３、Ｃ２５及びＣ２６、Ｃ２８及びＣ２９並びにＣ３１及びＣ３２と、第２のバラストコンデンサＣ２１、Ｃ２４、Ｃ２７及びＣ３０とを有する。
【００３７】
交流電源Ｖ７は、トランスＴ７の一次巻線側に接続されており、トランスＴ７の二次巻線の一端は接地されている。トランスＴ７の二次巻線の他端は、第２のバラストコンデンサＣ２１、Ｃ２４、Ｃ２７及びＣ３０の一端と接続されている。第２のバラストコンデンサＣ２１の他端は、ランプＬ１７及びＬ１８の一端に接続されている。第２のバラストコンデンサＣ２４の他端は、ランプＬ１９及びＬ２０の一端に接続されている。第２のバラストコンデンサＣ２７の他端は、ランプＬ２１及びＬ２２の一端に接続されている。第２のバラストコンデンサＣ３０の他端は、ランプＬ２３及びＬ２４の一端に接続されている。
【００３８】
交流電源Ｖ７と逆相の電圧を出力する交流電源Ｖ８は、トランスＴ８の一次巻線側に接続されており、トランスＴ８の二次巻線の一端は接地されている。トランスＴ８の二次巻線の他端は、第１のバラストコンデンサＣ２２及びＣ２３、Ｃ２５及びＣ２６、Ｃ２８及びＣ２９並びにＣ３１及びＣ３２の一端と接続されている。第１のバラストコンデンサＣ２２の他端は、ランプＬ１７の他端に接続されている。第１のバラストコンデンサＣ２３の他端は、ランプＬ１８の他端に接続されている。第１のバラストコンデンサＣ２５の他端は、ランプＬ１９の他端に接続されている。第１のバラストコンデンサＣ２６の他端は、ランプＬ２０の他端に接続されている。第１のバラストコンデンサＣ２８の他端は、ランプＬ２１の他端に接続されている。第１のバラストコンデンサＣ２９の他端は、ランプＬ２２の他端に接続されている。第１のバラストコンデンサＣ３１の他端は、ランプＬ２３の他端に接続されている。第１のバラストコンデンサＣ３２の他端は、ランプＬ２４の他端に接続されている。
【００３９】
このように、ランプの右側については個別にバラストコンデンサを接続するが、ランプの左側については、ランプ２本につき１つのバラストコンデンサを用意している。このようにすることによって、ランプ４本に１つのバラストコンデンサを用いるよりはランプ電流のアンバランスが少なくなる。但し、バラストコンデンサの削減個数は少なくなっている。
【００４０】
なお、第１のバラストコンデンサＣ２２及びＣ２３の総容量は、第２のバラストコンデンサＣ２１の容量と同じになる。第１のバラストコンデンサＣ２５及びＣ２６の総容量は、第２のバラストコンデンサＣ２４の容量と同じになる。第１のバラストコンデンサＣ２８及びＣ２９の総容量は、第２のバラストコンデンサＣ２７の容量と同じになる。第１のバラストコンデンサＣ３１及びＣ３２の総容量は、第２のバラストコンデンサＣ３０の容量と同じになる。
【００４１】
図５では、左側のみに第２のバラストコンデンサを配置するようにしているが、第１及び第２の実施の形態のように、左右に交互配置するようにしてもよい。
【００４２】
［実施の形態４］
本発明の第４の実施の形態に係るランプ駆動装置の回路例を図６に示す。ランプは、液晶表示装置の水平方向に並列に配置されることが多く、液晶表示装置の上部のランプと、下部のランプでは周囲の温度が異なる。特に上部の温度が高くなり、上部と下部のランプの電流バランスが悪くなる傾向がある。そこで、以下のような構成を採用する。
【００４３】
本実施の形態に係るランプ駆動装置は、交流電源Ｖ９及びＶ１０と、トランスＴ９及びＴ１０と、第１のバラストコンデンサＣ３３及びＣ３４並びにＣ４４及びＣ４５と、第２のバラストコンデンサＣ３５及びＣ３６、Ｃ３９及びＣ４０並びにＣ４１及びＣ４２と、第３のバラストコンデンサＣ３７、Ｃ３８及びＣ４３とを含む。
【００４４】
交流電源Ｖ９は、トランスＴ９の一次巻線側に接続されており、トランスＴ９の二次巻線の一端は接地されている。トランスＴ９の二次巻線の他端は、第１のバラストコンデンサＣ３３及びＣ４４と、第２のバラストコンデンサＣ３５及びＣ３６並びにＣ４１及びＣ４２と、第３のバラストコンデンサＣ３８とに接続されている。
【００４５】
第１のバラストコンデンサＣ３３の他端は、ランプＬ２５の一端に接続されている。第２のバラストコンデンサＣ３５の他端は、ランプＬ２６の一端に接続されている。第２のバラストコンデンサＣ３６の他端は、ランプＬ２７の一端に接続されている。第３のバラストコンデンサＣ３８の他端は、ランプＬ２８及びＬ２９の一端に接続されている。第２のバラストコンデンサＣ４１の他端は、ランプＬ３０の一端に接続されている。第２のバラストコンデンサＣ４２の他端は、ランプＬ３１の一端に接続されている。第１のバラストコンデンサＣ４４の他端は、ランプＬ３２の一端に接続されている。
【００４６】
交流電源Ｖ９と逆相の電圧を出力する交流電源Ｖ１０は、トランスＴ１０の一次巻線側に接続されており、トランスＴ１０の二次巻線の一端は接地されている。トランスＴ１０の二次巻線の他端は、第１のバラストコンデンサＣ３４及びＣ４５と、第２のバラストコンデンサＣ３９及びＣ４０と、第３のバラストコンデンサＣ３７及びＣ４３とに接続されている。
【００４７】
第１のバラストコンデンサＣ３４の他端は、ランプＬ２５の他端に接続されている。第３のバラストコンデンサＣ３７の他端は、ランプＬ２６及びＬ２７の他端に接続されている。第２のバラストコンデンサＣ３９の他端は、ランプＬ２８の他端に接続されている。第２のバラストコンデンサＣ４０の他端は、ランプＬ２９の他端に接続されている。第３のバラストコンデンサＣ４３の他端は、ランプＬ３０及びＬ３１の他端に接続されている。第１のバラストコンデンサＣ４５の他端は、ランプＬ３２の他端に接続されている。
【００４８】
本実施の形態では、最上部のランプＬ２５と最下部のランプＬ３２とについては、ランプ電流のアンバランスを抑制するため、両端に第１のバラストコンデンサを接続している。これに対してランプＬ２５とランプＬ３２の間のランプについては、２本ずつグループを構成して、当該グループにおいては一端には個別にバラストコンデンサを接続するが他端には１つのバラストコンデンサを接続するように構成し、なおかつ個別にバラストコンデンサを接続する端子の方向をグループ毎に変えることによって、ランプ電流のアンバランスによる輝度ばらつきをみかけ上減ずるようにしている。
【００４９】
このようにすれば、バラストコンデンサの数を減らすことができ、さらにランプ電流のアンバランスを抑制することができる。なお、グループを構成するランプの本数は２に限定されない。より多くのランプを必要とする場合には、３や４といったランプ本数でグループを構成するようにしても良い。
【００５０】
また、第１のバラストコンデンサＣ３３とＣ３４の容量は同じである。第２のバラストコンデンサＣ３５及びＣ３６の総容量と、第３のバラストコンデンサＣ３７の容量は同じである。さらに、第２のバラストコンデンサＣ３９及びＣ４０の総容量と、第３のバラストコンデンサＣ３８の容量は同じである。第２のバラストコンデンサＣ４１及びＣ４２の総容量と、第３のバラストコンデンサＣ４３の容量は同じである。さらに、第１のバラストコンデンサＣ４４とＣ５４の容量は同じである。
【００５１】
［実施の形態５］
本発明の第５の実施の形態に係るランプ駆動装置の回路例を図７に示す。本実施の形態では、第１及び第２の実施の形態におけるランプの互い違いの配置をやめて単純化した上でランプ８本構成にしたものである。
【００５２】
具体的には、本実施の形態に係るランプ駆動装置は、交流電源Ｖ１１及びＶ１２と、トランスＴ１１及びＴ１２と、第１のバラストコンデンサＣ４６乃至Ｃ５３と、第２のバラストコンデンサＣ５４とを有する。
【００５３】
交流電源Ｖ１１は、トランスＴ１１の一次巻線側に接続されており、トランスＴ１１の二次巻線の一端は接地されている。トランスＴ１１の二次巻線の他端は、第１のバラストコンデンサＣ４６乃至Ｃ５３の一端に接続されている。第１のバラストコンデンサＣ４６の他端は、ランプＬ３３の一端に接続されている。第１のバラストコンデンサＣ４７の他端は、ランプＬ３４の一端に接続されている。第１のバラストコンデンサＣ４８の他端は、ランプＬ３５の一端に接続されている。第１のバラストコンデンサＣ４９の他端は、ランプＬ３６の一端に接続されている。第１のバラストコンデンサＣ５０の他端は、ランプＬ３７の一端に接続されている。第１のバラストコンデンサＣ５１の他端は、ランプＬ３８の一端に接続されている。第１のバラストコンデンサＣ５２の他端は、ランプＬ３９の一端に接続されている。第１のバラストコンデンサＣ５３の他端は、ランプＬ４０の一端に接続されている。
【００５４】
交流電源Ｖ１１と逆相の電圧を出力する交流電源Ｖ１１は、トランスＴ１１の一次巻線側に接続されており、トランスＴ１１の二次巻線の一端は接地されている。トランスＴ１１の二次巻線の他端は、第２のバラストコンデンサＣ５４の一端と接続されている。第２のバラストコンデンサＣ５４の他端は、ランプＬ３３乃至Ｌ４０の他端に接続されている。
【００５５】
このように、ランプの左側については個別にバラストコンデンサを接続するが、ランプの右側については、ランプ８本につき１つのバラストコンデンサを用意している。このようにすることによって、最大限バラストコンデンサの個数を削減している。
【００５６】
なお、第１のバラストコンデンサＣ４６乃至Ｃ５３の総容量は、第２のバラストコンデンサＣ５４の容量と同じになる。
【００５７】
以上本発明の実施の形態を説明したが、本発明はこれに限定されない。例えば、第３及び第４の実施の形態の技術的特徴については、第１及び第２の実施の形態に適用することも可能である。
【００５８】
さらに、上で述べた実施の形態では、８本のランプを用いる例のみを示しているが、より多くの本数の場合にも本発明を適用することができる。
【図面の簡単な説明】
【００５９】
【図１】バラストコンデンサを用いた従来のランプ駆動装置の例を示す図である。
【図２】バラストコンデンサを用いた従来のランプ駆動装置の例を示す図である。
【図３】本発明の第１の実施の形態に係るランプ点灯装置を示す図である。
【図４】本発明の第２の実施の形態に係るランプ点灯装置を示す図である。
【図５】本発明の第３の実施の形態に係るランプ点灯装置を示す図である。
【図６】本発明の第４の実施の形態に係るランプ点灯装置を示す図である。
【図７】本発明の第５の実施の形態に係るランプ点灯装置を示す図である。
【符号の説明】
【００６０】
Ｌ１乃至Ｌ３２  ランプ    Ｃ１乃至Ｃ４５  バラストコンデンサ
Ｖ１乃至Ｖ１０  交流電源    Ｔ１乃至Ｔ１０  トランス
【図１】
2010050061.tif 000003
【図２】
2010050061.tif 000004
【図３】
2010050061.tif 000005
【図４】
2010050061.tif 000006
【図５】
2010050061.tif 000007
【図６】
2010050061.tif 000008
【図７】
2010050061.tif 000009